(57)【要約】【課題】基地局能力を示すための方法および装置を提供すること。【解決手段】本発明の実施形態は、基地局能力を示すための方法および装置を提供し、通信分野に関連して、基地局が第１のタイプのＵＥまたはカバレッジ拡張の能力をサポートしているかどうかを示し、それによってＵＥは、ＵＥの要件が、基地局によってサポートされる能力に合っている場合にのみ基地局にアクセスして、第１のタイプのＵＥのパワー消費を低減する。この方法は、基地局によって、第１の情報ブロックをユーザ機器ＵＥへ送信するステップであって、第１の情報ブロックは、第１の情報を担持し、第１の情報は、基地局の能力を示すために使用される、ステップを含む。【選択図】図１
2020078094.tif 000002
【特許請求の範囲】
【請求項１】
基地局能力を示すための方法であって、
基地局によって、第１の情報ブロックをユーザ機器ＵＥへ送信するステップであり、前記第１の情報ブロックは、第１の情報を担持し、前記第１の情報は、前記基地局の能力を示すために使用される、ステップを含み、
前記基地局の前記能力は、前記基地局が第１のタイプのＵＥによるアクセスをサポートしておらず、かつ前記基地局がカバレッジ拡張をサポートしていないこと、もしくは前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることであり、または
前記基地局の前記能力は、前記基地局が第１のシステム情報ブロックＳＩＢを送信しないこと、もしくは前記基地局が前記第１のＳＩＢを送信することであり、前記第１のＳＩＢは、前記第１のタイプの前記ＵＥもしくはカバレッジ拡張をサポートしているＵＥのうちの少なくとも１つが受信する必要があるシステム情報を含むことを特徴とする方法。
【請求項２】
前記第１の情報が、前記基地局が前記第１のＳＩＢを送信しないことを示すために使用されている場合には、前記第１の情報によって示される前記基地局の前記能力はさらに、前記基地局が前記第１のタイプの前記ＵＥによるアクセスをサポートしておらず、かつ前記基地局がカバレッジ拡張をサポートしていないことであり、または
前記第１の情報が、前記基地局が前記第１のＳＩＢを送信することを示すために使用されている場合には、前記第１の情報によって示される前記基地局の前記能力はさらに、前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることである
ことを特徴とする請求項１に記載の方法。
【請求項３】
前記第１のＳＩＢは、１つのＳＩＢまたは２つのＳＩＢを含むことを特徴とする請求項２に記載の方法。
【請求項４】
前記第１の情報が、前記基地局によってサポートされるカバレッジ拡張の程度を示している場合には、
前記第１の情報によって示される前記基地局の前記能力は、前記基地局が前記第１のタイプの前記ＵＥによるアクセスをサポートしており、かつ前記基地局がカバレッジ拡張をサポートしていること、または前記基地局が前記第１のタイプの前記ＵＥによるアクセスをサポートしておらず、かつ前記基地局がカバレッジ拡張をサポートしていることであることを特徴とする請求項１に記載の方法。
【請求項５】
前記第１の情報は、１つのビットを含み、
前記１つのビットの１つの状態は、前記基地局が前記第１のタイプの前記ＵＥによるアクセスをサポートしておらず、かつ前記基地局がカバレッジ拡張をサポートしていないことを示すために使用され、前記１つのビットの別の状態は、予約状態であり、または
前記ビットの１つの状態は、前記基地局が前記第１のタイプの前記ＵＥによるアクセスをサポートしておらず、かつ前記基地局がカバレッジ拡張をサポートしていないことを示すために使用され、前記１つのビットの別の状態は、前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることを示すために使用され、または
前記１つのビットの１つの状態は、前記基地局が前記第１のＳＩＢを送信しないことを示すために使用され、前記１つのビットの別の状態は、前記基地局が前記第１のＳＩＢを送信することを示すために使用され、または
前記１つのビットの１つの状態は、前記基地局によってサポートされるカバレッジ拡張の程度を示すために使用され、前記１つのビットの別の状態は、予約状態であることを特徴とする請求項１乃至３のいずれかに記載の方法。
【請求項６】
前記第１の情報ブロックは、マスター情報ブロックＭＩＢであるか、または前記ＵＥが前記基地局にアクセスする際に受信される第１の情報ブロックである
ことを特徴とする請求項１乃至５のいずれかに記載の方法。
【請求項７】
前記第１の情報は、前記第１の情報ブロックまたは第２のＳＩＢにおける情報要素であり、前記情報要素は、しきい値パラメータ、オフセットパラメータ、前記基地局によってサポートされるカバレッジ拡張のレベルの数量、またはそれぞれのカバレッジ拡張レベルに対応するカバレッジ拡張の量のうちの少なくとも１つであり、前記第２のＳＩＢは、ＳＩＢのうちの任意の１つである
ことを特徴とする請求項４に記載の方法。
【請求項８】
前記第１のタイプの前記ＵＥは、搬送波の特定の周波数幅で機能するＵＥであり、前記特定の周波数幅は、前記搬送波の帯域幅未満であることを特徴とする請求項１乃至７のいずれかに記載の方法。
【請求項９】
基地局能力を示すための方法であって、
ユーザ機器ＵＥによって、基地局によって送信された第１の情報ブロックを入手するステップであり、前記第１の情報ブロックは、第１の情報を担持し、前記第１の情報は、前記基地局の能力を示すために使用される、ステップを含み、
前記基地局の前記能力は、前記基地局が第１のタイプのＵＥによるアクセスをサポートしておらず、かつ前記基地局がカバレッジ拡張をサポートしていないこと、もしくは前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることであり、または
前記基地局の前記能力は、前記基地局が第１のシステム情報ブロックＳＩＢを送信しないこと、もしくは前記基地局が前記第１のＳＩＢを送信することであり、前記第１のＳＩＢは、前記第１のタイプの前記ＵＥもしくはカバレッジ拡張をサポートしているＵＥのうちの少なくとも１つが受信する必要があるシステム情報を含み、前記方法は、
前記ＵＥによって、前記第１の情報ブロック内に担持される前記第１の情報に従って前記基地局の前記能力を決定するステップを含むことを特徴とする方法。
【請求項１０】
前記第１の情報が、前記基地局が前記第１のＳＩＢを送信しないことを示すために使用されている場合には、前記第１の情報によって示される前記基地局の前記能力はさらに、前記基地局が前記第１のタイプの前記ＵＥによるアクセスをサポートしておらず、かつ前記基地局がカバレッジ拡張をサポートしていないことであり、または
前記第１の情報が、前記基地局が前記第１のＳＩＢを送信することを示すために使用されている場合には、前記第１の情報によって示される前記基地局の前記能力はさらに、前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることである
ことを特徴とする請求項９に記載の方法。
【請求項１１】
前記第１のＳＩＢは、１つのＳＩＢまたは２つのＳＩＢを含む
ことを特徴とする請求項１０に記載の方法。
【請求項１２】
前記第１の情報が、前記基地局によってサポートされるカバレッジ拡張の程度を示している場合には、
前記第１の情報によって示される前記基地局の前記能力は、前記基地局が前記第１のタイプの前記ＵＥによるアクセスをサポートしており、かつ前記基地局がカバレッジ拡張をサポートしていること、または前記基地局が前記第１のタイプの前記ＵＥによるアクセスをサポートしておらず、かつ前記基地局がカバレッジ拡張をサポートしていることであることを特徴とする請求項９に記載の方法。
【請求項１３】
前記第１の情報は、１つのビットを含み、
前記１つのビットの１つの状態は、前記基地局が前記第１のタイプの前記ＵＥによるアクセスをサポートしておらず、かつ前記基地局がカバレッジ拡張をサポートしていないことを示すために使用され、前記１つのビットの別の状態は、予約状態であり、または
前記１つのビットの１つの状態は、前記基地局が前記第１のタイプの前記ＵＥによるアクセスをサポートしておらず、かつ前記基地局がカバレッジ拡張をサポートしていないことを示すために使用され、前記１つのビットの別の状態は、前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることを示すために使用され、または
前記１つのビットの１つの状態は、前記基地局が前記第１のＳＩＢを送信しないことを示すために使用され、前記１つのビットの別の状態は、前記基地局が前記第１のＳＩＢを送信することを示すために使用され、または
前記１つのビットの１つの状態は、前記基地局によってサポートされるカバレッジ拡張の程度を示すために使用され、前記１つのビットの別の状態は、予約状態であることを特徴とする請求項９乃至１１のいずれかに記載の方法。
【請求項１４】
前記第１の情報ブロックは、マスター情報ブロックＭＩＢであるか、または前記ＵＥが前記基地局にアクセスする際に受信される第１の情報ブロックである
ことを特徴とする請求項９乃至１３のいずれかに記載の方法。
【請求項１５】
前記第１の情報は、前記第１の情報ブロックまたは第２のＳＩＢにおける情報要素であり、前記情報要素は、しきい値パラメータ、オフセットパラメータ、前記基地局によってサポートされるカバレッジ拡張のレベルの数量、またはそれぞれのカバレッジ拡張レベルに対応するカバレッジ拡張の量のうちの少なくとも１つであり、前記第２のＳＩＢは、ＳＩＢのうちの任意の１つである
ことを特徴とする請求項１２に記載の方法。
【請求項１６】
前記ＵＥによって、前記ＵＥのアクセス要件を決定するステップをさらに含み、
前記ＵＥによって、前記第１の情報ブロック内に担持される前記第１の情報に従って前記基地局の前記能力を決定する前記ステップ、および前記ＵＥによって、前記ＵＥのアクセス要件を決定する前記ステップの後に、
前記ＵＥによって、前記基地局の前記能力が前記ＵＥの前記アクセス要件に合っているかどうかを決定するステップと、
前記ＵＥによって、前記基地局の前記能力が前記ＵＥの前記アクセス要件に合っている場合には前記基地局にアクセスするステップ、または
前記ＵＥによって、前記基地局の前記能力が前記ＵＥの前記アクセス要件に合っていない場合には前記基地局にアクセスすることを省略するステップと
をさらに含むことを特徴とする請求項９乃至１５のいずれかに記載の方法。
【請求項１７】
前記ＵＥが前記第１のタイプの前記ＵＥであり、かつ前記ＵＥがカバレッジ拡張をサポートしている場合には、
チャネル品質パラメータがプリセットしきい値以下であるならば、前記ＵＥの前記アクセス要件は、前記基地局が前記第１のタイプの前記ＵＥによるアクセスをサポートしており、かつ前記基地局がカバレッジ拡張をサポートしていることであり、または
前記チャネル品質パラメータが前記プリセットしきい値よりも大きいならば、前記ＵＥの前記アクセス要件は、前記基地局が前記第１のタイプの前記ＵＥによるアクセスをサポートしていることであることを特徴とする請求項１６に記載の方法。
【請求項１８】
前記ＵＥが前記第１のタイプの前記ＵＥであり、かつ前記ＵＥがカバレッジ拡張をサポートしていない場合には、前記ＵＥの前記アクセス要件は、前記基地局が前記第１のタイプの前記ＵＥによるアクセスをサポートしていることであることを特徴とする請求項１６に記載の方法。
【請求項１９】
前記ＵＥが前記第１のタイプの前記ＵＥではなく、かつ前記ＵＥがカバレッジ拡張をサポートしている場合には、
チャネル品質パラメータがプリセットしきい値以下であるならば、前記ＵＥの前記アクセス要件は、前記基地局がカバレッジ拡張をサポートしていることであることを特徴とする請求項１６に記載の方法。
【請求項２０】
前記第１のタイプの前記ＵＥは、搬送波の特定の周波数幅で機能するＵＥであり、前記特定の周波数幅は、前記搬送波の帯域幅未満であることを特徴とする請求項９乃至１９のいずれかに記載の方法。
【請求項２１】
基地局であって、
第１の情報ブロックをユーザ機器ＵＥへ送信するように構成されている送信モジュールを含み、前記第１の情報ブロックは、第１の情報を担持し、前記第１の情報は、基地局の能力を示すために使用され、
前記基地局の前記能力は、前記基地局が第１のタイプのＵＥによるアクセスをサポートしておらず、かつ前記基地局がカバレッジ拡張をサポートしていないこと、もしくは前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることであり、または
前記基地局の前記能力は、前記基地局が第１のシステム情報ブロックＳＩＢを送信しないこと、もしくは前記基地局が前記第１のＳＩＢを送信することであり、前記第１のＳＩＢは、前記第１のタイプの前記ＵＥもしくはカバレッジ拡張をサポートしているＵＥのうちの少なくとも１つが受信する必要があるシステム情報を含むことを特徴とする基地局。
【請求項２２】
前記第１の情報が、前記送信モジュールが前記第１のＳＩＢを送信しないことを示すために使用されている場合には、前記第１の情報によって示される前記基地局の前記能力はさらに、前記基地局が前記第１のタイプの前記ＵＥによるアクセスをサポートしておらず、かつ前記基地局がカバレッジ拡張をサポートしていないことであり、または
前記第１の情報が、前記送信モジュールが前記第１のＳＩＢを送信することを示すために使用されている場合には、前記第１の情報によって示される前記基地局の前記能力はさらに、前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることである
ことを特徴とする請求項２１に記載の基地局。
【請求項２３】
前記第１のＳＩＢは、１つのＳＩＢまたは２つのＳＩＢを含むことを特徴とする請求項２２に記載の基地局。
【請求項２４】
前記第１の情報が、前記基地局によってサポートされるカバレッジ拡張の程度を示している場合には、
前記第１の情報によって示される前記基地局の前記能力は、前記基地局が前記第１のタイプの前記ＵＥによるアクセスをサポートしており、かつ前記基地局がカバレッジ拡張をサポートしていること、または前記基地局が前記第１のタイプの前記ＵＥによるアクセスをサポートしておらず、かつ前記基地局がカバレッジ拡張をサポートしていることであることを特徴とする請求項２１に記載の基地局。
【請求項２５】
前記第１の情報は、１つのビットを含み、
前記１つのビットの１つの状態は、前記基地局が前記第１のタイプの前記ＵＥによるアクセスをサポートしておらず、かつ前記基地局がカバレッジ拡張をサポートしていないことを示すために使用され、前記１つのビットの別の状態は、予約状態であり、または
前記ビットの１つの状態は、前記基地局が前記第１のタイプの前記ＵＥによるアクセスをサポートしておらず、かつ前記基地局がカバレッジ拡張をサポートしていないことを示すために使用され、前記１つのビットの別の状態は、前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることを示すために使用され、または
前記１つのビットの１つの状態は、前記基地局が前記第１のＳＩＢを送信しないことを示すために使用され、前記１つのビットの別の状態は、前記基地局が前記第１のＳＩＢを送信することを示すために使用され、または
前記１つのビットの１つの状態は、前記基地局によってサポートされるカバレッジ拡張の程度を示すために使用され、前記１つのビットの別の状態は、予約状態であることを特徴とする請求項２１乃至２３のいずれかに記載の基地局。
【請求項２６】
前記第１の情報ブロックは、マスター情報ブロックＭＩＢであるか、または前記ＵＥが前記基地局にアクセスする際に受信される第１の情報ブロックである
ことを特徴とする請求項２１乃至２５のいずれかに記載の基地局。
【請求項２７】
前記第１の情報は、前記第１の情報ブロックまたは第２のＳＩＢにおける情報要素であり、前記情報要素は、しきい値パラメータ、オフセットパラメータ、前記基地局によってサポートされるカバレッジ拡張のレベルの数量、またはそれぞれのカバレッジ拡張レベルに対応するカバレッジ拡張の量のうちの少なくとも１つであり、前記第２のＳＩＢは、ＳＩＢのうちの任意の１つである
ことを特徴とする請求項２４に記載の基地局。
【請求項２８】
前記第１のタイプの前記ＵＥは、搬送波の特定の周波数幅で機能するＵＥであり、前記特定の周波数幅は、前記搬送波の帯域幅未満であることを特徴とする請求項２１乃至２７のいずれかに記載の基地局。
【請求項２９】
ＵＥであって、
基地局によって送信された第１の情報ブロックを入手するように構成されている入手モジュールを含み、前記第１の情報ブロックは、第１の情報を担持し、前記第１の情報は、前記基地局の能力を示すために使用され、
前記基地局の前記能力は、前記基地局が第１のタイプのＵＥによるアクセスをサポートしておらず、かつ前記基地局がカバレッジ拡張をサポートしていないこと、もしくは前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることであり、または
前記基地局の前記能力は、前記基地局が第１のシステム情報ブロックＳＩＢを送信しないこと、もしくは前記基地局が前記第１のＳＩＢを送信することであり、前記第１のＳＩＢは、前記第１のタイプの前記ＵＥもしくはカバレッジ拡張をサポートしているＵＥのうちの少なくとも１つが受信する必要があるシステム情報を含み、前記ＵＥは、
前記入手モジュールによって入手された前記第１の情報ブロック内に担持される前記第１の情報に従って前記基地局の前記能力を決定するように構成されている決定モジュールを含むことを特徴とするＵＥ。
【請求項３０】
前記第１の情報が、前記基地局が前記第１のＳＩＢを送信しないことを示すために使用されている場合には、前記第１の情報によって示される前記基地局の前記能力はさらに、前記基地局が前記第１のタイプの前記ＵＥによるアクセスをサポートしておらず、かつ前記基地局がカバレッジ拡張をサポートしていないことであり、または
前記第１の情報が、前記基地局が前記第１のＳＩＢを送信することを示すために使用されている場合には、前記第１の情報によって示される前記基地局の前記能力はさらに、前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることである
ことを特徴とする請求項２９に記載のＵＥ。
【請求項３１】
前記第１のＳＩＢは、１つのＳＩＢまたは２つのＳＩＢを含む
ことを特徴とする請求項３０に記載のＵＥ。
【請求項３２】
前記第１の情報が、前記基地局によってサポートされるカバレッジ拡張の程度を示している場合には、
前記第１の情報によって示される前記基地局の前記能力は、前記基地局が前記第１のタイプの前記ＵＥによるアクセスをサポートしており、かつ前記基地局がカバレッジ拡張をサポートしていること、または前記基地局が前記第１のタイプの前記ＵＥによるアクセスをサポートしておらず、かつ前記基地局がカバレッジ拡張をサポートしていることであることを特徴とする請求項２９に記載のＵＥ。
【請求項３３】
前記第１の情報は、１つのビットを含み、
前記１つのビットの１つの状態は、前記基地局が前記第１のタイプの前記ＵＥによるアクセスをサポートしておらず、かつ前記基地局がカバレッジ拡張をサポートしていないことを示すために使用され、前記１つのビットの別の状態は、予約状態であり、または
前記１つのビットの１つの状態は、前記基地局が前記第１のタイプの前記ＵＥによるアクセスをサポートしておらず、かつ前記基地局がカバレッジ拡張をサポートしていないことを示すために使用され、前記１つのビットの別の状態は、前記基地局が前記第１のタイプの前記ＵＥによるアクセスをサポートしており、かつ前記基地局がカバレッジ拡張をサポートしていること、もしくは前記基地局が前記第１のタイプの前記ＵＥによるアクセスをサポートしており、かつ前記基地局がカバレッジ拡張をサポートしていないこと、もしくは前記基地局が前記第１のタイプの前記ＵＥによるアクセスをサポートしておらず、かつ前記基地局がカバレッジ拡張をサポートしていることを示すために使用され、または
前記１つのビットの１つの状態は、前記基地局が前記第１のＳＩＢを送信しないことを示すために使用され、前記１つのビットの別の状態は、前記基地局が前記第１のＳＩＢを送信することを示すために使用され、または
前記１つのビットの１つの状態は、前記基地局によってサポートされるカバレッジ拡張の程度を示すために使用され、前記１つのビットの別の状態は、予約状態であることを特徴とする請求項２９乃至３１のいずれかに記載のＵＥ。
【請求項３４】
前記第１の情報ブロックは、マスター情報ブロックＭＩＢであるか、または前記ＵＥが前記基地局にアクセスする際に受信される第１の情報ブロックである
ことを特徴とする請求項２９乃至３３のいずれかに記載のＵＥ。
【請求項３５】
前記第１の情報は、前記第１の情報ブロックまたは第２のＳＩＢにおける情報要素であり、前記情報要素は、しきい値パラメータ、オフセットパラメータ、前記基地局によってサポートされるカバレッジ拡張のレベルの数量、またはそれぞれのカバレッジ拡張レベルに対応するカバレッジ拡張の量のうちの少なくとも１つであり、前記第２のＳＩＢは、ＳＩＢのうちの任意の１つである
ことを特徴とする請求項３２に記載のＵＥ。
【請求項３６】
前記決定モジュールは、前記ＵＥのアクセス要件を決定するようにさらに構成されており、
前記ＵＥは、
前記基地局の前記能力が前記ＵＥの前記アクセス要件に合っているかどうかを決定するように構成されている判定モジュールと、
前記基地局の前記能力が前記ＵＥの前記アクセス要件に合っている場合には前記ＵＥが前記基地局にアクセスすることを可能にするか、または前記基地局の前記能力が前記ＵＥの前記アクセス要件に合っていない場合には前記ＵＥが前記基地局にアクセスしないことを可能にするように構成されている実行モジュールと
をさらに含むことを特徴とする請求項２９乃至３５のいずれかに記載のＵＥ。
【請求項３７】
前記ＵＥが前記第１のタイプの前記ＵＥであり、かつ前記ＵＥがカバレッジ拡張をサポートしている場合には、
チャネル品質パラメータがプリセットしきい値以下であるならば、前記ＵＥの前記アクセス要件は、前記基地局が前記第１のタイプの前記ＵＥによるアクセスをサポートしており、かつ前記基地局がカバレッジ拡張をサポートしていることであり、または
前記チャネル品質パラメータが前記プリセットしきい値よりも大きいならば、前記ＵＥの前記アクセス要件は、前記基地局が前記第１のタイプの前記ＵＥによるアクセスをサポートしていることであることを特徴とする請求項３６に記載のＵＥ。
【請求項３８】
前記ＵＥが前記第１のタイプの前記ＵＥであり、かつ前記ＵＥがカバレッジ拡張をサポートしていない場合には、前記ＵＥの前記アクセス要件は、前記基地局が前記第１のタイプの前記ＵＥによるアクセスをサポートしていることであることを特徴とする請求項３６に記載のＵＥ。
【請求項３９】
前記ＵＥが前記第１のタイプの前記ＵＥではなく、かつ前記ＵＥがカバレッジ拡張をサポートしている場合には、
チャネル品質パラメータがプリセットしきい値以下であるならば、前記ＵＥの前記アクセス要件は、前記基地局がカバレッジ拡張をサポートしていることであることを特徴とする請求項３６に記載のＵＥ。
【請求項４０】
前記第１のタイプの前記ＵＥは、搬送波の特定の周波数幅で機能するＵＥであり、前記特定の周波数幅は、前記搬送波の帯域幅未満であることを特徴とする請求項２９乃至３９のいずれかに記載のＵＥ。
【発明の詳細な説明】
【技術分野】
【０００１】
本発明は、通信分野に関し、詳細には、基地局能力を示すための方法および装置に関する。
【背景技術】
【０００２】
既存の通信システムにおいては、ユーザ機器ＵＥの数量が多いので、システム消費を低減するために、いくつかの複雑さの低いおよび低コストのＵＥが提唱されている。複雑さの低いおよび低コストのＵＥによって使用されるテクノロジーは主に、単一の受信アンテナ、ＵＥによってサポートされる最大送信ブロックのサイズを低減すること、半二重、ＵＥによってサポートされる受信信号および送信信号の帯域幅を低減すること、ＵＥの最大送信パワーを低減すること、ＵＥによってサポートされるダウンリンク送信モードを低減することなどである。
【０００３】
既存の通信システムにおいては、いくつかの基地局は、複雑さの低い（または低コストの）ＵＥをサポートしている一方で、いくつかの基地局は、複雑さの低いＵＥをサポートしておらず、いくつかの基地局は、カバレッジ拡張をサポートしている一方で、いくつかの基地局は、カバレッジ拡張をサポートしていない。ＵＥは、基地局が複雑さの低いＵＥをサポートしているかどうか、または基地局がカバレッジ拡張をサポートしているかどうかを知ることができない。したがってＵＥは、基地局にアクセスすることを盲目的に試みる。基地局が複雑さの低いＵＥをサポートしていない、またはカバレッジ拡張をサポートしていない場合には、ＵＥは、基地局にアクセスすることを試みるプロセスにおいてＵＥのパワーを消費し、ＵＥのパワーの浪費を引き起こす。
【発明の概要】
【０００４】
本発明の実施形態は、基地局能力を示すための方法および装置を提供して、基地局が第１のタイプのＵＥまたはカバレッジ拡張の能力をサポートしているかどうかを示し、それによってＵＥは、ＵＥの要件が、基地局によってサポートされる能力に合っている場合にのみ基地局にアクセスして、第１のタイプのＵＥのパワー消費を低減する。
【０００５】
前述の目的を達成するために、下記の技術的なソリューションが、本発明の実施形態において使用される。
【０００６】
第１の態様によれば、本発明の実施形態は、基地局能力を示すための方法を提供し、この方法は、基地局によって、第１の情報ブロックをユーザ機器ＵＥへ送信するステップであって、第１の情報ブロックは、第１の情報を担持し、第１の情報は、基地局の能力を示すために使用される、ステップを含み、
基地局の能力は、基地局が第１のタイプのＵＥによるアクセスをサポートしておらず、かつ基地局がカバレッジ拡張をサポートしていないこと、もしくは基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることであり、または
基地局の能力は、基地局が第１のシステム情報ブロックＳＩＢを送信しないこと、もしくは基地局が第１のＳＩＢを送信することであり、第１のＳＩＢは、第１のタイプのＵＥもしくはカバレッジ拡張をサポートしているＵＥのうちの少なくとも１つが受信する必要があるシステム情報を含む。
【０００７】
第１の態様に関連して、第１の態様の第１の可能な実施態様においては、
第１の情報が、基地局が第１のＳＩＢを送信しないことを示すために使用されている場合には、第１の情報によって示される基地局の能力はさらに、基地局が第１のタイプのＵＥによるアクセスをサポートしておらず、かつ基地局がカバレッジ拡張をサポートしていないことであり、または
第１の情報が、基地局が第１のＳＩＢを送信することを示すために使用されている場合には、第１の情報によって示される基地局の能力はさらに、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることである。
【０００８】
第１の態様の第１の可能な実施態様に関連して、第１の態様の第２の可能な実施態様においては、第１のＳＩＢは、１つのＳＩＢまたは２つのＳＩＢを含む。
【０００９】
第１の態様に関連して、第１の態様の第３の可能な実施態様においては、第１の情報が、基地局によってサポートされるカバレッジ拡張の程度を示している場合には、
第１の情報によって示される基地局の能力は、基地局が第１のタイプのＵＥによるアクセスをサポートしており、かつ基地局がカバレッジ拡張をサポートしていること、または基地局が第１のタイプのＵＥによるアクセスをサポートしておらず、かつ基地局がカバレッジ拡張をサポートしていることである。
【００１０】
第１の態様、第１の態様の第１の可能な実施態様、および第１の態様の第２の可能な実施態様に関連して、第１の態様の第４の可能な実施態様においては、第１の情報は、１つのビットを含み、
その１つのビットの１つの状態は、基地局が第１のタイプのＵＥによるアクセスをサポートしておらず、かつ基地局がカバレッジ拡張をサポートしていないことを示すために使用され、その１つのビットの別の状態は、予約状態であり、または
そのビットの１つの状態は、基地局が第１のタイプのＵＥによるアクセスをサポートしておらず、かつ基地局がカバレッジ拡張をサポートしていないことを示すために使用され、その１つのビットの別の状態は、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることを示すために使用され、または
その１つのビットの１つの状態は、基地局が第１のＳＩＢを送信しないことを示すために使用され、その１つのビットの別の状態は、基地局が第１のＳＩＢを送信することを示すために使用され、または
その１つのビットの１つの状態は、基地局によってサポートされるカバレッジ拡張の程度を示すために使用され、その１つのビットの別の状態は、予約状態である。
【００１１】
第１の態様、および第１の態様の第１の可能な実施態様から第１の態様の第４の可能な実施態様に関連して、第１の態様の第５の可能な実施態様においては、第１の情報ブロックは、マスター情報ブロックＭＩＢであるか、またはＵＥが基地局にアクセスする際に受信される第１の情報ブロックである。
【００１２】
第１の態様の第３の可能な実施態様に関連して、第１の態様の第６の可能な実施態様においては、第１の情報は、第１の情報ブロックまたは第２のＳＩＢにおける情報要素であり、その情報要素は、しきい値パラメータ、オフセットパラメータ、基地局によってサポートされるカバレッジ拡張のレベルの数量、またはそれぞれのカバレッジ拡張レベルに対応するカバレッジ拡張の量のうちの少なくとも１つであり、第２のＳＩＢは、ＳＩＢのうちの任意の１つである。
【００１３】
第１の態様、または第１の態様の第１の可能な実施態様から第１の態様の第６の可能な実施態様のうちのいずれか１つに関連して、第１の態様の第７の可能な実施態様においては、第１のタイプのＵＥは、搬送波の特定の周波数幅で機能するＵＥであり、特定の周波数幅は、搬送波の帯域幅未満である。
【００１４】
第２の態様によれば、本発明の実施形態は、基地局能力を示すための方法を提供し、この方法は、ユーザ機器ＵＥによって、基地局によって送信された第１の情報ブロックを入手するステップであって、第１の情報ブロックは、第１の情報を担持し、第１の情報は、基地局の能力を示すために使用される、ステップを含み、
基地局の能力は、基地局が第１のタイプのＵＥによるアクセスをサポートしておらず、かつ基地局がカバレッジ拡張をサポートしていないこと、もしくは基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることであり、または
基地局の能力は、基地局が第１のシステム情報ブロックＳＩＢを送信しないこと、もしくは基地局が第１のＳＩＢを送信することであり、第１のＳＩＢは、第１のタイプのＵＥもしくはカバレッジ拡張をサポートしているＵＥのうちの少なくとも１つが受信する必要があるシステム情報を含み、この方法は、
ＵＥによって、第１の情報ブロック内に担持される第１の情報に従って基地局の能力を決定するステップを含む。
【００１５】
第２の態様に関連して、第２の態様の第１の可能な実施態様においては、
第１の情報が、基地局が第１のＳＩＢを送信しないことを示すために使用されている場合には、第１の情報によって示される基地局の能力はさらに、基地局が第１のタイプのＵＥによるアクセスをサポートしておらず、かつ基地局がカバレッジ拡張をサポートしていないことであり、または
第１の情報が、基地局が第１のＳＩＢを送信することを示すために使用されている場合には、第１の情報によって示される基地局の能力はさらに、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることである。
【００１６】
第２の態様の第１の可能な実施態様に関連して、第２の態様の第２の可能な実施態様においては、第１のＳＩＢは、１つのＳＩＢまたは２つのＳＩＢを含む。
【００１７】
第２の態様に関連して、第２の態様の第３の可能な実施態様においては、第１の情報が、基地局によってサポートされるカバレッジ拡張の程度を示している場合には、
第１の情報によって示される基地局の能力は、基地局が第１のタイプのＵＥによるアクセスをサポートしており、かつ基地局がカバレッジ拡張をサポートしていること、または基地局が第１のタイプのＵＥによるアクセスをサポートしておらず、かつ基地局がカバレッジ拡張をサポートしていることである。
【００１８】
第２の態様、第１の態様の第１の可能な実施態様、または第２の態様の第２の可能な実施態様に関連して、第２の態様の第４の可能な実施態様においては、第１の情報は、１つのビットを含み、
その１つのビットの１つの状態は、基地局が第１のタイプのＵＥによるアクセスをサポートしておらず、かつ基地局がカバレッジ拡張をサポートしていないことを示すために使用され、その１つのビットの別の状態は、予約状態であり、または
そのビットの１つの状態は、基地局が第１のタイプのＵＥによるアクセスをサポートしておらず、かつ基地局がカバレッジ拡張をサポートしていないことを示すために使用され、その１つのビットの別の状態は、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることを示すために使用され、または
その１つのビットの１つの状態は、基地局が第１のＳＩＢを送信しないことを示すために使用され、その１つのビットの別の状態は、基地局が第１のＳＩＢを送信することを示すために使用され、または
その１つのビットの１つの状態は、基地局によってサポートされるカバレッジ拡張の程度を示すために使用され、その１つのビットの別の状態は、予約状態である。
【００１９】
第２の態様、または第２の態様の第１の可能な実施態様から第２の態様の第４の可能な実施態様のうちのいずれか１つに関連して、第２の態様の第５の可能な実施態様においては、第１の情報ブロックは、マスター情報ブロックＭＩＢであるか、またはＵＥが基地局にアクセスする際に受信される第１の情報ブロックである。
【００２０】
第２の態様の第３の可能な実施態様に関連して、第２の態様の第６の可能な実施態様においては、第１の情報は、第１の情報ブロックまたは第２のＳＩＢにおける情報要素であり、その情報要素は、しきい値パラメータ、オフセットパラメータ、基地局によってサポートされるカバレッジ拡張のレベルの数量、またはそれぞれのカバレッジ拡張レベルに対応するカバレッジ拡張の量のうちの少なくとも１つであり、第２のＳＩＢは、ＳＩＢのうちの任意の１つである。
【００２１】
第２の態様、または第２の態様の第１の可能な実施態様から第２の態様の第６の可能な実施態様のうちのいずれか１つに関連して、第２の態様の第７の可能な実施態様においては、この方法は、
ＵＥによって、ＵＥのアクセス要件を決定するステップをさらに含み、ＵＥによって、第１の情報ブロック内に担持される第１の情報に従って基地局の能力を決定するステップ、およびＵＥによって、ＵＥのアクセス要件を決定するステップの後に、この方法は、ＵＥによって、基地局の能力がＵＥのアクセス要件に合っているかどうかを決定するステップと、ＵＥによって、基地局の能力がＵＥのアクセス要件に合っている場合には基地局にアクセスするステップ、またはＵＥによって、基地局の能力がＵＥのアクセス要件に合っていない場合には基地局にアクセスすることを省略するステップとをさらに含む。
【００２２】
第２の態様の第７の可能な実施態様に関連して、第２の態様の第８の可能な実施態様においては、ＵＥが第１のタイプのＵＥであり、かつＵＥがカバレッジ拡張をサポートしている場合には、
チャネル品質パラメータがプリセットしきい値以下であるならば、ＵＥのアクセス要件は、基地局が第１のタイプのＵＥによるアクセスをサポートしており、かつ基地局がカバレッジ拡張をサポートしていることであり、または
チャネル品質パラメータがプリセットしきい値よりも大きいならば、ＵＥのアクセス要件は、基地局が第１のタイプのＵＥによるアクセスをサポートしていることである。
【００２３】
第２の態様の第７の可能な実施態様に関連して、第２の態様の第９の可能な実施態様においては、ＵＥが第１のタイプのＵＥであり、かつＵＥがカバレッジ拡張をサポートしていない場合には、ＵＥのアクセス要件は、基地局が第１のタイプのＵＥによるアクセスをサポートしていることである。
【００２４】
第２の態様の第７の可能な実施態様に関連して、第２の態様の第１０の可能な実施態様においては、ＵＥが第１のタイプのＵＥではなく、かつＵＥがカバレッジ拡張をサポートしている場合には、
チャネル品質パラメータがプリセットしきい値以下であるならば、ＵＥのアクセス要件は、基地局がカバレッジ拡張をサポートしていることである。
【００２５】
第２の態様、または第２の態様の第１の可能な実施態様から第２の態様の第１０の可能な実施態様のうちのいずれか１つに関連して、第２の態様の第１１の可能な実施態様においては、第１のタイプのＵＥは、搬送波の特定の周波数幅で機能するＵＥであり、その特定の周波数幅は、搬送波の帯域幅未満である。
【００２６】
第３の態様によれば、本発明の実施形態は、基地局を提供し、この基地局は、
第１の情報ブロックをユーザ機器ＵＥへ送信するように構成されている送信モジュールを含み、第１の情報ブロックは、第１の情報を担持し、第１の情報は、基地局の能力を示すために使用され、
基地局の能力は、基地局が第１のタイプのＵＥによるアクセスをサポートしておらず、かつ基地局がカバレッジ拡張をサポートしていないこと、もしくは基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることであり、または
基地局の能力は、基地局が第１のシステム情報ブロックＳＩＢを送信しないこと、もしくは基地局が第１のＳＩＢを送信することであり、第１のＳＩＢは、第１のタイプのＵＥもしくはカバレッジ拡張をサポートしているＵＥのうちの少なくとも１つが受信する必要があるシステム情報を含む。
【００２７】
第３の態様に関連して、第３の態様の第１の可能な実施態様においては、
第１の情報が、送信モジュールが第１のＳＩＢを送信しないことを示すために使用されている場合には、第１の情報によって示される基地局の能力はさらに、基地局が第１のタイプのＵＥによるアクセスをサポートしておらず、かつ基地局がカバレッジ拡張をサポートしていないことであり、または
第１の情報が、送信モジュールが第１のＳＩＢを送信することを示すために使用されている場合には、第１の情報によって示される基地局の能力はさらに、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることである。
【００２８】
第３の態様の第１の可能な実施態様に関連して、第３の態様の第２の可能な実施態様においては、第１のＳＩＢは、１つのＳＩＢまたは２つのＳＩＢを含む。
【００２９】
第３の態様に関連して、第３の態様の第３の可能な実施態様においては、第１の情報が、基地局によってサポートされるカバレッジ拡張の程度を示している場合には、
第１の情報によって示される基地局の能力は、基地局が第１のタイプのＵＥによるアクセスをサポートしており、かつ基地局がカバレッジ拡張をサポートしていること、または基地局が第１のタイプのＵＥによるアクセスをサポートしておらず、かつ基地局がカバレッジ拡張をサポートしていることである。
【００３０】
第３の態様、第３の態様の第１の可能な実施態様、および第３の態様の第２の可能な実施態様に関連して、第３の態様の第４の可能な実施態様においては、第１の情報は、１つのビットを含み、
その１つのビットの１つの状態は、基地局が第１のタイプのＵＥによるアクセスをサポートしておらず、かつ基地局がカバレッジ拡張をサポートしていないことを示すために使用され、その１つのビットの別の状態は、予約状態であり、または
そのビットの１つの状態は、基地局が第１のタイプのＵＥによるアクセスをサポートしておらず、かつ基地局がカバレッジ拡張をサポートしていないことを示すために使用され、その１つのビットの別の状態は、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることを示すために使用され、または
その１つのビットの１つの状態は、基地局が第１のＳＩＢを送信しないことを示すために使用され、その１つのビットの別の状態は、基地局が第１のＳＩＢを送信することを示すために使用され、または
その１つのビットの１つの状態は、基地局によってサポートされるカバレッジ拡張の程度を示すために使用され、その１つのビットの別の状態は、予約状態である。
【００３１】
第３の態様、および第３の態様の第１の可能な実施態様から第３の態様の第４の可能な実施態様に関連して、第３の態様の第５の可能な実施態様においては、
第１の情報ブロックは、マスター情報ブロックＭＩＢであるか、またはＵＥが基地局にアクセスする際に受信される第１の情報ブロックである。
【００３２】
第３の態様の第３の可能な実施態様に関連して、第３の態様の第６の可能な実施態様においては、第１の情報は、第１の情報ブロックまたは第２のＳＩＢにおける情報要素であり、その情報要素は、しきい値パラメータ、オフセットパラメータ、基地局によってサポートされるカバレッジ拡張のレベルの数量、またはそれぞれのカバレッジ拡張レベルに対応するカバレッジ拡張の量のうちの少なくとも１つであり、第２のＳＩＢは、ＳＩＢのうちの任意の１つである。
【００３３】
第３の態様、または第３の態様の第１の可能な実施態様から第３の態様の第６の可能な実施態様のうちのいずれか１つに関連して、第３の態様の第７の可能な実施態様においては、第１のタイプのＵＥは、搬送波の特定の周波数幅で機能するＵＥであり、その特定の周波数幅は、搬送波の帯域幅未満である。
【００３４】
第４の態様によれば、本発明の実施形態は、ＵＥを提供し、このＵＥは、
基地局によって送信された第１の情報ブロックを入手するように構成されている入手モジュールを含み、第１の情報ブロックは、第１の情報を担持し、第１の情報は、基地局の能力を示すために使用され、
基地局の能力は、基地局が第１のタイプのＵＥによるアクセスをサポートしておらず、かつ基地局がカバレッジ拡張をサポートしていないこと、もしくは基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることであり、または
基地局の能力は、基地局が第１のシステム情報ブロックＳＩＢを送信しないこと、もしくは基地局が第１のＳＩＢを送信することであり、第１のＳＩＢは、第１のタイプのＵＥもしくはカバレッジ拡張をサポートしているＵＥのうちの少なくとも１つが受信する必要があるシステム情報を含み、このＵＥは、
入手モジュールによって入手された第１の情報ブロック内に担持される第１の情報に従って基地局の能力を決定するように構成されている決定モジュールを含む。
【００３５】
第４の態様に関連して、第４の態様の第１の可能な実施態様においては、
第１の情報が、基地局が第１のＳＩＢを送信しないことを示すために使用されている場合には、第１の情報によって示される基地局の能力はさらに、基地局が第１のタイプのＵＥによるアクセスをサポートしておらず、かつ基地局がカバレッジ拡張をサポートしていないことであり、または
第１の情報が、基地局が第１のＳＩＢを送信することを示すために使用されている場合には、第１の情報によって示される基地局の能力はさらに、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることである。
【００３６】
第４の態様の第１の可能な実施態様に関連して、第４の態様の第２の可能な実施態様においては、第１のＳＩＢは、１つのＳＩＢまたは２つのＳＩＢを含む。
【００３７】
第４の態様に関連して、第４の態様の第３の可能な実施態様においては、第１の情報が、基地局によってサポートされるカバレッジ拡張の程度を示している場合には、
第１の情報によって示される基地局の能力は、基地局が第１のタイプのＵＥによるアクセスをサポートしており、かつ基地局がカバレッジ拡張をサポートしていること、または基地局が第１のタイプのＵＥによるアクセスをサポートしておらず、かつ基地局がカバレッジ拡張をサポートしていることである。
【００３８】
第４の態様、第４の態様の第１の可能な実施態様、または第４の態様の第２の可能な実施態様に関連して、第４の態様の第４の可能な実施態様においては、第１の情報は、１つのビットを含み、
その１つのビットの１つの状態は、基地局が第１のタイプのＵＥによるアクセスをサポートしておらず、かつ基地局がカバレッジ拡張をサポートしていないことを示すために使用され、その１つのビットの別の状態は、予約状態であり、または
そのビットの１つの状態は、基地局が第１のタイプのＵＥによるアクセスをサポートしておらず、かつ基地局がカバレッジ拡張をサポートしていないことを示すために使用され、その１つのビットの別の状態は、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることを示すために使用され、または
その１つのビットの１つの状態は、基地局が第１のＳＩＢを送信しないことを示すために使用され、その１つのビットの別の状態は、基地局が第１のＳＩＢを送信することを示すために使用され、または
その１つのビットの１つの状態は、基地局によってサポートされるカバレッジ拡張の程度を示すために使用され、その１つのビットの別の状態は、予約状態である。
【００３９】
第４の態様、および第４の態様の第１の可能な実施態様から第４の態様の第４の可能な実施態様に関連して、第４の態様の第５の可能な実施態様においては、
第１の情報ブロックは、マスター情報ブロックＭＩＢであるか、またはＵＥが基地局にアクセスする際に受信される第１の情報ブロックである。
【００４０】
第４の態様の第３の可能な実施態様に関連して、第４の態様の第６の可能な実施態様においては、第１の情報は、第１の情報ブロックまたは第２のＳＩＢにおける情報要素であり、その情報要素は、しきい値パラメータ、オフセットパラメータ、基地局によってサポートされるカバレッジ拡張のレベルの数量、またはそれぞれのカバレッジ拡張レベルに対応するカバレッジ拡張の量のうちの少なくとも１つであり、第２のＳＩＢは、ＳＩＢのうちの任意の１つである。
【００４１】
第４の態様、または第４の態様の第１の可能な実施態様から第４の態様の第６の可能な実施態様のうちのいずれか１つに関連して、第４の態様の第７の可能な実施態様においては、決定モジュールは、このＵＥのアクセス要件を決定するようにさらに構成されており、
このＵＥは、基地局の能力がこのＵＥのアクセス要件に合っているかどうかを決定するように構成されている判定モジュールと、基地局の能力がこのＵＥのアクセス要件に合っている場合にはこのＵＥが基地局にアクセスすることを可能にするか、または基地局の能力がこのＵＥのアクセス要件に合っていない場合にはこのＵＥが基地局にアクセスしないことを可能にするように構成されている実行モジュールとをさらに含む。
【００４２】
第４の態様の第７の可能な実施態様に関連して、第４の態様の第８の可能な実施態様においては、このＵＥが第１のタイプのＵＥであり、かつこのＵＥがカバレッジ拡張をサポートしている場合には、
チャネル品質パラメータがプリセットしきい値以下であるならば、このＵＥのアクセス要件は、基地局が第１のタイプのＵＥによるアクセスをサポートしており、かつ基地局がカバレッジ拡張をサポートしていることであり、または
チャネル品質パラメータがプリセットしきい値よりも大きいならば、このＵＥのアクセス要件は、基地局が第１のタイプのＵＥによるアクセスをサポートしていることである。
【００４３】
第４の態様の第７の可能な実施態様に関連して、第４の態様の第９の可能な実施態様においては、このＵＥが第１のタイプのＵＥであり、かつこのＵＥがカバレッジ拡張をサポートしていない場合には、このＵＥのアクセス要件は、基地局が第１のタイプのＵＥによるアクセスをサポートしていることである。
【００４４】
第４の態様の第７の可能な実施態様に関連して、第４の態様の第１０の可能な実施態様においては、このＵＥが第１のタイプのＵＥではなく、かつこのＵＥがカバレッジ拡張をサポートしている場合には、
チャネル品質パラメータがプリセットしきい値以下であるならば、このＵＥのアクセス要件は、基地局がカバレッジ拡張をサポートしていることである。
【００４５】
第４の態様、または第４の態様の第１の可能な実施態様から第４の態様の第１０の可能な実施態様のうちのいずれか１つに関連して、第４の態様の第１１の可能な実施態様においては、第１のタイプのＵＥは、搬送波の特定の周波数幅で機能するＵＥであり、その特定の周波数幅は、搬送波の帯域幅未満である。
【００４６】
本発明の実施形態において提供される、基地局能力を示すための方法および装置は、基地局によって、第１の情報ブロックをユーザ機器ＵＥへ送信するステップであって、第１の情報ブロックは、第１の情報を担持し、第１の情報は、基地局の能力を示すために使用される、ステップを含み、基地局の能力は、基地局が第１のタイプのＵＥによるアクセスをサポートしておらず、かつ基地局がカバレッジ拡張をサポートしていないこと、または基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることである。
【００４７】
前述の実施形態の記述に基づいて、本発明の実施形態において提供される、基地局能力を示すための方法および装置を用いて、基地局が、第１の情報ブロックをＵＥへ送信し、第１の情報ブロックは、第１の情報を担持し、第１の情報は、基地局の能力を示すために使用されて、基地局が第１のタイプのＵＥまたはカバレッジ拡張の能力をサポートしているかどうかを示し、それによってＵＥは、ＵＥの要件が、基地局によってサポートされる能力に合っている場合にのみ基地局にアクセスして、第１のタイプのＵＥのパワー消費を低減する。
【図面の簡単な説明】
【００４８】
本発明の実施形態における、または従来技術における技術的な解決手法をより明確に記述するために、以下では、それらの実施形態または従来技術について記述するために必要とされる添付の図面について簡単に記述する。明らかに、以下の記述における添付の図面は、本発明のいくつかの実施形態を示しているにすぎず、当業者なら、それでもなお、創造的な取り組みなしにこれらの添付の図面からその他の図面を導き出し得る。
【図１】本発明の実施形態による、基地局能力を示すための方法の概略フローチャート１である。
【図２】本発明の実施形態による、基地局能力を示すための方法の概略フローチャート２である。
【図３】本発明の実施形態による、基地局能力を示すための方法の概略フローチャート３である。
【図４】本発明の実施形態による基地局の概略構造図である。
【図５】本発明の実施形態によるＵＥの概略構造図１である。
【図６】本発明の実施形態によるＵＥの概略構造図２である。
【発明を実施するための形態】
【００４９】
以降では、本発明の実施形態における添付の図面を参照しながら、本発明の実施形態における技術的な解決手法について明確にかつ完全に記述する。明らかに、記述されている実施形態は、本発明の実施形態のうちのいくつかにすぎず、すべてではない。当業者によって本発明の実施形態に基づいて創造的な取り組みなしに入手されるその他のすべての実施形態は、本発明の保護範囲内に入るものとする。
【００５０】
実施形態１
本発明の実施形態は、基地局能力を示すための方法を提供する。図１において示されているように、この方法は、下記を含む。
【００５１】
Ｓ１０１：  基地局が、第１の情報ブロックをＵＥへ送信し、第１の情報ブロックは、第１の情報を担持し、第１の情報は、基地局の能力を示すために使用される。
【００５２】
基地局の能力は、基地局が第１のタイプのＵＥによるアクセスをサポートしておらず、かつ基地局がカバレッジ拡張をサポートしていないこと、または基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることである。
【００５３】
あるいは、基地局の能力は、基地局が第１のシステム情報ブロックＳＩＢを送信しないこと、または基地局が第１のＳＩＢを送信することであり、第１のＳＩＢは、第１のタイプのＵＥまたはカバレッジ拡張をサポートしているＵＥのうちの少なくとも１つが受信する必要があるシステム情報を含む。
【００５４】
第１のタイプのＵＥは、搬送波の特定の周波数幅で機能するＵＥであり、その特定の周波数幅は、搬送波の帯域幅未満である。第１の情報ブロックは、マスター情報ブロックＭＩＢであるか、またはＵＥが基地局にアクセスする際に受信される第１の情報ブロックである。既存のＬＴＥシステムにおいては、ＵＥが基地局にアクセスする際に受信される第１の情報ブロックは、ＭＩＢである。
【００５５】
基地局は、第１の情報ブロックをＵＥへ送信し、第１の情報ブロックは、第１の情報を担持し、第１の情報は、基地局の能力を示すために使用される。具体的には、第１の情報ブロックがＭＩＢである旨を含む記述が提供される。ＭＩＢにおいては、１つのビットが、第１の情報を担持する。その１つのビットの１つの状態は、基地局が第１のタイプのＵＥによるアクセスをサポートしておらず、かつ基地局がカバレッジ拡張をサポートしていないことを示すために使用され、その１つのビットの別の状態は、予約状態であり、またはそのビットの１つの状態は、基地局が第１のタイプのＵＥによるアクセスをサポートしておらず、かつ基地局がカバレッジ拡張をサポートしていないことを示すために使用され、その１つのビットの別の状態は、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることを示すために使用される。
【００５６】
たとえば、ＭＩＢにおける１つのビットにおける情報が０である場合には、それは、基地局が第１のタイプのＵＥによるアクセスをサポートしておらず、かつ基地局がカバレッジ拡張をサポートしていないことを示し、ＭＩＢにおける１つのビットにおける情報が１である場合には、それは、基地局が第１のタイプのＵＥによるアクセスをサポートしており、かつ基地局がカバレッジ拡張をサポートしていること、基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることを示している。第１のタイプのＵＥが、基地局によって送信されたＭＩＢを受信し、そのＭＩＢにおいてプリセットされている１つのビットが０である場合には、第１のタイプのＵＥによって基地局にアクセスすることを盲目的に試みることによってもたらされるパワー消費を低減するために、第１のタイプのＵＥは基地局にアクセスしないということが理解されることが可能である。第１のタイプのＵＥが基地局のＭＩＢを受信し、そのＭＩＢにおいてプリセットされている１つのビットが１である場合には、そのビットが１であるということが、基地局が第１のタイプのＵＥをサポートしており、かつカバレッジ拡張をサポートしていることを示すために定義されているならば、第１のタイプのＵＥは、基地局にアクセスする。そのビットが１であるということが、基地局が第１のタイプのＵＥをサポートしており、かつカバレッジ拡張をサポートしていないことを示すために、または基地局が第１のタイプのＵＥをサポートしておらず、かつカバレッジ拡張をサポートしていることを示すために定義されているならば、第１のタイプのＵＥは、ＵＥの要件が、基地局によって提供される能力と同じであるかどうかを決定する。ＵＥの要件が、基地局によって提供される能力と同じである場合には、第１のタイプのＵＥは、基地局にアクセスする。ＵＥの要件が、基地局によって提供される能力と同じでない場合には、第１のタイプのＵＥは、基地局にアクセスしない。第１のタイプのＵＥが、ＭＩＢにおける１つのビットにおける情報に従って、基地局によって提供される能力がＵＥの要件と同じであるかどうかを決定することができない場合には、第１のタイプのＵＥは、基地局にアクセスすることを試みるということも言及されるべきである。たとえば、ＭＩＢにおいてプリセットされている１つのビットが１であるということが、基地局が第１のタイプのＵＥまたはカバレッジ拡張のうちの少なくとも１つをサポートしていることを示しており、かつ第１のタイプのＵＥの要件がカバレッジ拡張である場合には、第１のタイプのＵＥは、ＭＩＢにおける１つのビットにおける情報の表示に従って、基地局がカバレッジ拡張をサポートしているかどうかを決定することができない。したがって、第１のタイプのＵＥは、通信を実行するために基地局にアクセスすることを試みる。
【００５７】
ＭＩＢにおけるビットが０または１である場合には、示される情報はプリセットされているということが理解されることが可能である。具体的には、ＭＩＢにおけるビットが０または１であるということが別々にどの情報を示すかは、本発明においては限定されない。
【００５８】
さらに、たとえば、第１の情報は、基地局が第１のシステム情報ブロックＳＩＢを送信しないこと、または基地局が第１のＳＩＢを送信することを示すために使用され、第１のＳＩＢは、第１のタイプのＵＥまたはカバレッジ拡張をサポートしているＵＥのうちの少なくとも１つが受信する必要があるシステム情報を含む。
【００５９】
たとえば、第１の情報が、基地局が第１のＳＩＢを送信しないことを示している場合には、第１の情報によって示される基地局の能力はさらに、基地局が第１のタイプのＵＥによるアクセスをサポートしておらず、かつ基地局がカバレッジ拡張をサポートしていないことであり、または第１の情報が、基地局が第１のＳＩＢを送信することを示している場合には、第１の情報によって示される基地局の能力はさらに、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることである。
【００６０】
第１のＳＩＢは、１つのＳＩＢまたは２つのＳＩＢを含む。
【００６１】
たとえば、第１のＳＩＢは、１つのＳＩＢを含み、その１つのＳＩＢは、マシンタイプ通信ＳＩＢであり得る。マシンタイプ通信ＳＩＢは、第１のタイプのＵＥによって共有されるシステム情報、および基地局のカバレッジ拡張を構成するために使用される。マシンタイプ通信ＳＩＢが通常のシステムカバレッジに適用されることが可能であるケースにおいては、第１のタイプのＵＥおよび別のタイプのＵＥの両方が、マシンタイプ通信ＳＩＢおよびカバレッジ拡張ＳＩＢを受信することができる。
【００６２】
たとえば、ＭＩＢにおける１つのビットが０である場合には、それは、基地局がマシンタイプ通信ＳＩＢを送信しないことを示している。ＭＩＢにおける１つのビットが１である場合には、それは、基地局がマシンタイプ通信ＳＩＢを送信することを示している。基地局がマシンタイプ通信ＳＩＢを送信するかどうかは、基地局能力に関連付けられている。基地局がマシンタイプ通信ＳＩＢを送信しない場合には、それは、基地局が複雑さの低いＵＥをサポートしていないこと、およびカバレッジ拡張をサポートしていないことを示している。基地局がマシンタイプ通信ＳＩＢを送信する場合には、それは、基地局が複雑さの低いＵＥをサポートしていることを示しているか、または基地局が複雑さの低いＵＥをサポートしており、かつカバレッジ拡張をサポートしていることを示している。
【００６３】
たとえば、第１のＳＩＢが２つのＳＩＢを含むということは、第１のＳＩＢがマシンタイプ通信ＳＩＢおよびカバレッジ拡張ＳＩＢであり得るということである。カバレッジ拡張ＳＩＢは、システムのカバレッジ拡張によって必要とされる特別なシステム情報を構成するために使用される。カバレッジ拡張ＳＩＢは、システムのカバレッジ拡張のために使用される。第１のタイプのＵＥおよび別のタイプのＵＥの両方が、カバレッジ拡張ＳＩＢを受信することができる。
【００６４】
さらに、たとえば、ＭＩＢにおける２つのビットにおける情報は、基地局がマシンタイプ通信ＳＩＢを送信するかどうか、およびカバレッジ拡張ＳＩＢを送信するかどうかを示すために使用される。ＭＩＢにおけるそれらの２つのビットは、既存のＭＩＢにおける１０個の予約ビットのうちのビットであり得る。具体的には、ＭＩＢにおけるそれらの２つのビットは、ｂ０およびｂ１として別々にマークされる。基地局がマシンタイプ通信ＳＩＢを送信するかどうか、およびカバレッジ拡張ＳＩＢを送信するかどうかを示すためにｂ０およびｂ１に関して表１、表２、表３、および表４において示されているいくつかの表示方法があり、それぞれの表示様式によって表される基地局の能力も示されている。ｂ０およびｂ１のうちのどちらのビットが上位ビットであるかは、本発明のこの実施形態においては限定されない。
【００６５】
【表１】
2020078094.tif 000003
【００６６】
または
【００６７】
【表２】
2020078094.tif 000004
【００６８】
または
【００６９】
【表３】
2020078094.tif 000005
【００７０】
または
【００７１】
【表４】
2020078094.tif 000006
【００７２】
さらに、たとえば、第１の情報が、基地局によってサポートされるカバレッジ拡張の程度を示している場合には、第１の情報によって示される基地局の能力は、基地局が第１のタイプのＵＥによるアクセスをサポートしており、かつ基地局がカバレッジ拡張をサポートしていること、または基地局が第１のタイプのＵＥによるアクセスをサポートしておらず、かつ基地局がカバレッジ拡張をサポートしていることである。
【００７３】
第１の情報が、基地局によってサポートされるカバレッジ拡張の程度を示している場合には、第１の情報は、第１の情報ブロックまたは第２のＳＩＢにおける情報要素であり、第２のＳＩＢは、ＳＩＢのうちの任意の１つである。
【００７４】
情報要素は、しきい値パラメータ、オフセットパラメータ、基地局によってサポートされるカバレッジ拡張のレベルの数量、またはそれぞれのカバレッジ拡張レベルに対応するカバレッジ拡張の量のうちの少なくとも１つである。
【００７５】
たとえば、基地局によって送信されるＭＩＢまたはＳＩＢは、しきい値パラメータを示すビット、ドメイン、または情報要素を含む。ＵＥは、しきい値パラメータに従って、基地局にアクセスするかどうかを決定する。ＵＥのチャネル品質を示すパラメータが、しきい値パラメータ以上である（またはそれよりも大きい）場合には、ＵＥは基地局にアクセスする。そうでない場合には、ＵＥは基地局にアクセスしない。
【００７６】
あるいは、基地局によって送信されるＭＩＢまたはＳＩＢは、しきい値パラメータおよびオフセットパラメータを示すビット、ドメイン、または情報要素を含む。ＵＥは、しきい値パラメータおよびオフセットパラメータに従って、基地局にアクセスするかどうかを決定する。ＵＥのチャネル品質を示すパラメータが、しきい値パラメータとオフセットパラメータとの合計（または差）以上である（またはそれよりも大きい）場合には、ＵＥは基地局にアクセスする。そうでない場合には、ＵＥは基地局にアクセスしない。
【００７７】
あるいは、基地局によって送信されるＭＩＢまたはＳＩＢは、基地局によってサポートされるカバレッジ拡張のレベルの数量、それぞれのカバレッジ拡張レベルに対応するステップ長さ、オフセットパラメータにおけるビット、ドメイン、または情報要素のうちの少なくとも１つを含む。カバレッジ拡張レベルに対応するステップ長さは、同じであってもよく、または同じでなくてもよい。
【００７８】
ＵＥは、基地局によってサポートされるカバレッジ拡張のレベルの数量、それぞれのカバレッジ拡張レベルに対応するステップ長さ、またはオフセットパラメータのうちの少なくとも１つに従って、基地局にアクセスするかどうかを決定する。ＵＥは、基地局によってサポートされるカバレッジ拡張のレベルの数量、それぞれのカバレッジ拡張レベルに対応するステップ長さ、またはオフセットパラメータのうちの少なくとも１つに従って、基地局によってサポートされるカバレッジ拡張の程度を決定することができる。基地局によってサポートされるカバレッジ拡張の程度は、基地局によってサポートされる、チャネル品質を示すパラメータの範囲または最大値によって示される。ＵＥのチャネル品質を示すパラメータが、基地局によってサポートされる、チャネル品質を示すパラメータの範囲内にあるか、または基地局によってサポートされる、チャネル品質を示すパラメータの最大値以下である場合には、ＵＥは基地局にアクセスする。そうでない場合には、ＵＥは基地局にアクセスしない。
【００７９】
たとえば、チャネル品質を示すパラメータが、ＰＵＳＣＨによって必要とされるカバレッジ拡張値である場合には、基地局によってサポートされるカバレッジ拡張のレベルの数量は３であり、それぞれのカバレッジ拡張レベルに対応するステップ長さは５ｄＢであり、オフセットパラメータは３ｄＢである。複雑さの低いＵＥは、基地局によってサポートされるチャネル品質パラメータの最大値が、基地局によってサポートされるカバレッジ拡張のレベルの数量３×それぞれのカバレッジ拡張レベルに対応するステップ長さ５＋オフセットパラメータ３＝１８ｄＢであるということを決定する。複雑さの低いＵＥのＰＵＳＣＨによって必要とされるカバレッジ拡張値が１８ｄＢよりも大きい場合には、ＵＥは基地局にアクセスしない。普通のＵＥは、基地局によってサポートされるチャネル品質パラメータの最大値が、基地局によってサポートされるカバレッジ拡張のレベルの数量３×それぞれのカバレッジ拡張レベルに対応するステップ長さ５＝１５ｄＢであるということを決定する。普通のＵＥのＰＵＳＣＨによって必要とされるカバレッジ拡張値が１５ｄＢよりも大きい場合には、ＵＥは基地局にアクセスしない。
【００８０】
この実施形態におけるＳＩＢは、既存のＬＴＥシステムにおける基地局によってサポートされるＳＩＢ１からＳＩＢ１７、新たなＳＩＢタイプ、マシンタイプ通信ＳＩＢ、またはカバレッジ拡張ＳＩＢのうちの少なくとも１つである。
【００８１】
本発明のこの実施形態において提供される技術的なソリューションにおいては、基地局能力は、ＭＩＢにおいて示され、それによってＵＥは、基地局が第１のＳＩＢを送信するかどうかを知って、第１のＳＩＢの盲目的な検知を回避し、ＵＥのパワー消費を低減する。本発明の実施形態１のソリューションにおいては、システムが複雑さの低いＵＥをサポートしておらず、かつカバレッジ拡張をサポートしていないことが、ＭＩＢにおける１つのビットを使用することによって直接にまたは間接的に示されて、ＭＩＢにおけるビットオーバーヘッドを低減する。
【００８２】
ＵＥは、システムによってサポートされるカバレッジ拡張の程度を決定することができ、システムによってサポートされるカバレッジ拡張の程度に従って、システムにアクセスするかどうかを決定する。これは、システムによってサポートされるカバレッジ拡張の程度が実際にはＵＥの要件に達することができないことに起因した、ＵＥによってシステムにアクセスするのを試みることのパワーの浪費を回避する。ＵＥによって受信された情報が、システムがカバレッジ拡張をサポートしていないことを示しているだけである場合に、ＵＥはシステムにアクセスしないが、実際にはＵＥは、何回か試みた後にシステムにアクセスしてもよく、ＵＥがシステムにアクセスしないならば、ＵＥは、システムによって提供されるサービスを十分に入手することができないという問題がさらに回避される。
【００８３】
本発明のこの実施形態において提供される、基地局能力を示すための方法は、基地局によって、第１の情報ブロックをユーザ機器ＵＥへ送信するステップであって、第１の情報ブロックは、第１の情報を担持し、第１の情報は、基地局の能力を示すために使用される、ステップを含み、基地局の能力は、基地局が第１のタイプのＵＥによるアクセスをサポートしておらず、かつ基地局がカバレッジ拡張をサポートしていないこと、または基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることである。
【００８４】
前述の実施形態の記述に基づいて、本発明のこの実施形態において提供される、基地局能力を示すための方法を用いて、基地局が、第１の情報ブロックをＵＥへ送信し、第１の情報ブロックは、第１の情報を担持し、第１の情報は、基地局の能力を示すために使用されて、基地局が第１のタイプのＵＥまたはカバレッジ拡張の能力をサポートしているかどうかを示し、それによってＵＥは、ＵＥの要件が、基地局によってサポートされる能力に合っている場合にのみ基地局にアクセスして、第１のタイプのＵＥのパワー消費を低減する。
【００８５】
実施形態２
本発明の実施形態は、基地局能力を示すための方法をさらに提供する。図２において示されているように、図２は、この方法の概略フローチャートである。この方法は、下記のステップを含む。
【００８６】
Ｓ２０１：  ＵＥが、基地局によって送信された第１の情報ブロックを入手する。
【００８７】
第１の情報ブロックは、第１の情報を担持し、第１の情報は、基地局の能力を示すために使用される。基地局の能力は、基地局が第１のタイプのＵＥによるアクセスをサポートしておらず、かつ基地局がカバレッジ拡張をサポートしていないこと、または基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることである。
【００８８】
第１のタイプのＵＥは、搬送波の特定の周波数幅で機能するＵＥであり、その特定の周波数幅は、搬送波の帯域幅未満である。第１の情報ブロックは、マスター情報ブロックＭＩＢであるか、またはＵＥが基地局にアクセスする際に受信される第１の情報ブロックである。既存のＬＴＥシステムにおいては、ＵＥが基地局にアクセスする際に受信される第１の情報ブロックは、ＭＩＢである。
【００８９】
あるいは、基地局の能力は、基地局が第１のシステム情報ブロックＳＩＢを送信しないこと、または基地局が第１のＳＩＢを送信することであり、第１のＳＩＢは、第１のタイプのＵＥまたはカバレッジ拡張をサポートしているＵＥのうちの少なくとも１つが受信する必要があるシステム情報を含む。
【００９０】
ＵＥは、基地局によって送信された第１の情報ブロックを受信し、第１の情報ブロックは、第１の情報を担持し、第１の情報は、基地局の能力を示すために使用される。具体的には、第１の情報ブロックがＭＩＢである旨を含む記述が提供される。ＭＩＢにおいては、１つのビットが、第１の情報を担持する。その１つのビットの１つの状態は、基地局が第１のタイプのＵＥによるアクセスをサポートしておらず、かつ基地局がカバレッジ拡張をサポートしていないことを示すために使用され、その１つのビットの別の状態は、予約状態であり（すなわち、そのビットの別の状態は、いかなる情報も示さず）、またはそのビットの１つの状態は、基地局が第１のタイプのＵＥによるアクセスをサポートしておらず、かつ基地局がカバレッジ拡張をサポートしていないことを示すために使用され、その１つのビットの別の状態は、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることを示すために使用される。
【００９１】
第１の情報が、基地局によってサポートされるカバレッジ拡張の程度を示している場合には、第１の情報は、第１の情報ブロックまたは第２のＳＩＢにおける情報要素であるということに留意されたい。情報要素は、しきい値パラメータ、オフセットパラメータ、基地局によってサポートされるカバレッジ拡張のレベルの数量、またはそれぞれのカバレッジ拡張レベルに対応するカバレッジ拡張の量のうちの少なくとも１つである。
【００９２】
具体的には、どのようにして第１の情報が基地局の能力を示すかは、前述の実施形態における記述と同じであり、ここで再び詳細に記述されることはない。
【００９３】
Ｓ２０２：  ＵＥは、第１の情報ブロック内に担持される第１の情報に従って基地局の能力を決定する。
【００９４】
図３において示されているように、本発明の実施形態は、基地局能力を示すための別の方法をさらに提供する。この方法は、下記のステップを含む。
【００９５】
Ｓ３０１：  ＵＥが、基地局によって送信された第１の情報ブロックを入手する。
【００９６】
Ｓ３０２：  ＵＥは、第１の情報ブロック内に担持される第１の情報に従って基地局の能力を決定する。
【００９７】
Ｓ３０３：  ＵＥは、ＵＥのアクセス要件を決定する。
【００９８】
ＵＥが第１のタイプのＵＥであり、かつＵＥがカバレッジ拡張をサポートしている場合には、チャネル品質パラメータがプリセットしきい値以下であるならば、ＵＥのアクセス要件は、基地局が第１のタイプのＵＥによるアクセスをサポートしており、かつ基地局がカバレッジ拡張をサポートしていることであり、またはチャネル品質パラメータがプリセットしきい値よりも大きいならば、ＵＥのアクセス要件は、基地局が第１のタイプのＵＥによるアクセスをサポートしていることである。
【００９９】
ＵＥが第１のタイプのＵＥであり、かつＵＥがカバレッジ拡張をサポートしていない場合には、ＵＥのアクセス要件は、基地局が第１のタイプのＵＥによるアクセスをサポートしていることである。
【０１００】
ＵＥが第１のタイプのＵＥではなく、かつＵＥがカバレッジ拡張をサポートしている場合には、チャネル品質パラメータがプリセットしきい値以下であるならば、ＵＥのアクセス要件は、基地局がカバレッジ拡張をサポートしていることである。
【０１０１】
チャネル品質を示すパラメータは、基準信号受信パワー、基準信号受信品質、チャネル品質表示、制限されているチャネルによって必要とされるカバレッジ拡張値、物理アップリンク共有チャネルＰＵＳＣＨによって必要とされるカバレッジ拡張値、カバレッジ拡張レベル、繰り返しレベル、プライマリー同期信号受信に関する組合せの時間、セカンダリー同期信号受信に関する組合せの時間、ＭＩＢ受信に関する組合せの時間、プライマリー同期信号受信に関する試行の時間、セカンダリー同期信号受信に関する試行の時間、ＭＩＢ受信に関する試行の時間、プライマリー同期信号受信に関する信号時間長、セカンダリー同期信号受信に関する信号時間長、またはＭＩＢ受信に関する信号時間長のうちの少なくとも１つを含む。
【０１０２】
Ｓ３０２およびＳ３０３はシーケンスを有していないということが言及されるべきである。
【０１０３】
Ｓ３０４：  ＵＥは、基地局の能力がＵＥのアクセス要件に合っているかどうかを決定する。
【０１０４】
Ｓ３０５：  ＵＥは、基地局の能力がＵＥのアクセス要件に合っている場合には基地局にアクセスする。
【０１０５】
Ｓ３０６：  ＵＥは、基地局の能力がＵＥのアクセス要件に合っていない場合には基地局にアクセスしない。
【０１０６】
基地局によって送信されるＭＩＢまたはＳＩＢは、しきい値パラメータを示すビット、ドメイン、または情報要素を含む。ＵＥは、しきい値パラメータに従って、基地局にアクセスするかどうかを決定する。ＵＥのチャネル品質を示すパラメータが、しきい値パラメータ以上である（またはそれよりも大きい）場合には、ＵＥは基地局にアクセスする。そうでない場合には、ＵＥは基地局にアクセスしない。あるいは、基地局によって送信されるＭＩＢまたはＳＩＢは、しきい値パラメータおよびオフセットパラメータを示すビット、ドメイン、または情報要素を含む。ＵＥは、しきい値パラメータおよびオフセットパラメータに従って、基地局にアクセスするかどうかを決定する。ＵＥのチャネル品質を示すパラメータが、しきい値パラメータとオフセットパラメータとの合計（または差）以上である（またはそれよりも大きい）場合には、ＵＥは基地局にアクセスする。そうでない場合には、ＵＥは基地局にアクセスしない。あるいは、基地局によって送信されるＭＩＢまたはＳＩＢは、基地局によってサポートされるカバレッジ拡張のレベルの数量、それぞれのカバレッジ拡張レベルに対応するステップ長さ、オフセットパラメータにおけるビット、ドメイン、または情報要素のうちの少なくとも１つを含む。カバレッジ拡張レベルに対応するステップ長さは、同じであってもよく、または同じでなくてもよい。
【０１０７】
ＵＥは、基地局によってサポートされるカバレッジ拡張のレベルの数量、それぞれのカバレッジ拡張レベルに対応するステップ長さ、またはオフセットパラメータのうちの少なくとも１つに従って、基地局にアクセスするかどうかを決定する。ＵＥは、基地局によってサポートされるカバレッジ拡張のレベルの数量、それぞれのカバレッジ拡張レベルに対応するステップ長さ、またはオフセットパラメータのうちの少なくとも１つに従って、基地局によってサポートされるカバレッジ拡張の程度を決定することができる。基地局によってサポートされるカバレッジ拡張の程度は、基地局によってサポートされる、チャネル品質を示すパラメータの範囲または最大値によって示される。ＵＥのチャネル品質を示すパラメータが、基地局によってサポートされる、チャネル品質を示すパラメータの範囲内にあるか、または基地局によってサポートされる、チャネル品質を示すパラメータの最大値以下である場合には、ＵＥは基地局にアクセスする。そうでない場合には、ＵＥは基地局にアクセスしない。
【０１０８】
この実施形態においては、チャネル品質を示すパラメータが、ＰＵＳＣＨによって必要とされるカバレッジ拡張値である場合には、基地局によってサポートされるカバレッジ拡張のレベルの数量は３であり、それぞれのカバレッジ拡張レベルに対応するステップ長さは５ｄＢであり、オフセットパラメータは３ｄＢである。複雑さの低いＵＥは、基地局によってサポートされるチャネル品質パラメータの最大値が、基地局によってサポートされるカバレッジ拡張のレベルの数量３×それぞれのカバレッジ拡張レベルに対応するステップ長さ５＋オフセットパラメータ３＝１８ｄＢであるということを決定する。複雑さの低いＵＥのＰＵＳＣＨによって必要とされるカバレッジ拡張値が１８ｄＢよりも大きい場合には、ＵＥは基地局にアクセスしない。普通のＵＥは、基地局によってサポートされるチャネル品質パラメータの最大値が、基地局によってサポートされるカバレッジ拡張のレベルの数量３×それぞれのカバレッジ拡張レベルに対応するステップ長さ５＝１５ｄＢであるということを決定する。普通のＵＥのＰＵＳＣＨによって必要とされるカバレッジ拡張値が１５ｄＢよりも大きい場合には、ＵＥは基地局にアクセスするのをやめる。
【０１０９】
この実施形態におけるＳＩＢは、既存のＬＴＥシステムによってサポートされるＳＩＢ１からＳＩＢ１７、新たなＳＩＢタイプ、マシンタイプ通信ＳＩＢ、またはカバレッジ拡張ＳＩＢのうちの少なくとも１つである。
【０１１０】
本発明のこの実施形態において提供される技術的なソリューションにおいては、基地局能力は、ＭＩＢにおいて示され、それによってＵＥは、基地局が第１のＳＩＢを送信するかどうかを知って、第１のＳＩＢの盲目的な検知を回避し、ＵＥのパワー消費を低減する。本発明の実施形態１のソリューションにおいては、システムが複雑さの低いＵＥをサポートしておらず、かつカバレッジ拡張をサポートしていないことが、ＭＩＢにおける１つのビットを使用することによって直接にまたは間接的に示されて、ＭＩＢにおけるビットオーバーヘッドを低減する。
【０１１１】
ＵＥは、システムによってサポートされるカバレッジ拡張の程度を決定することができ、システムによってサポートされるカバレッジ拡張の程度に従って、システムにアクセスするかどうかを決定する。これは、システムによってサポートされるカバレッジ拡張の程度が実際にはＵＥの要件に達することができないことに起因した、ＵＥによってシステムにアクセスするのを試みることのパワーの浪費を回避する。ＵＥによって受信された情報が、システムがカバレッジ拡張をサポートしていないことを示しているだけである場合に、ＵＥはシステムにアクセスしないが、実際にはＵＥは、何回か試みた後にシステムにアクセスしてもよく、ＵＥがシステムにアクセスしないならば、ＵＥは、システムによって提供されるサービスを十分に入手することができないという問題がさらに回避される。
【０１１２】
本発明のこの実施形態において提供される、基地局能力を示すための方法は、ＵＥによって、基地局によって送信された第１の情報ブロックを入手するステップであって、第１の情報ブロックは、第１の情報を担持し、第１の情報は、基地局の能力を示すために使用される、ステップを含み、基地局の能力は、基地局が第１のタイプのＵＥによるアクセスをサポートしておらず、かつ基地局がカバレッジ拡張をサポートしていないこと、または基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることである。
【０１１３】
前述の実施形態の記述に基づいて、本発明のこの実施形態において提供される、基地局能力を示すための方法を用いて、ＵＥが、基地局によって送信された第１の情報ブロックを入手し、第１の情報ブロックは、第１の情報を担持し、第１の情報は、基地局の能力を示すために使用されて、基地局が第１のタイプのＵＥまたはカバレッジ拡張の能力をサポートしているかどうかを示し、それによってＵＥは、ＵＥの要件が、基地局によってサポートされる能力に合っている場合にのみ基地局にアクセスして、第１のタイプのＵＥのパワー消費を低減する。
【０１１４】
実施形態３
本発明の実施形態は、基地局を提供する。図４において示されているように、この基地局は、
第１の情報ブロックをユーザ機器ＵＥへ送信するように構成されている送信モジュール１０を含み、第１の情報ブロックは、第１の情報を担持し、第１の情報は、基地局の能力を示すために使用される。
【０１１５】
基地局の能力は、基地局が第１のタイプのＵＥによるアクセスをサポートしておらず、かつ基地局がカバレッジ拡張をサポートしていないこと、もしくは基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることであり、または基地局の能力は、基地局が第１のシステム情報ブロックＳＩＢを送信しないこと、もしくは基地局が第１のＳＩＢを送信することであり、第１のＳＩＢは、第１のタイプのＵＥもしくはカバレッジ拡張をサポートしているＵＥのうちの少なくとも１つが受信する必要があるシステム情報を含む。
【０１１６】
第１の情報が、送信モジュールが第１のＳＩＢを送信しないことを示すために使用されている場合には、第１の情報によって示される基地局の能力はさらに、基地局が第１のタイプのＵＥによるアクセスをサポートしておらず、かつ基地局がカバレッジ拡張をサポートしていないことであり、または第１の情報が、送信モジュールが第１のＳＩＢを送信することを示している場合には、第１の情報によって示される基地局の能力はさらに、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることである。
【０１１７】
第１のＳＩＢは、１つのＳＩＢまたは２つのＳＩＢを含む。
【０１１８】
第１の情報が、基地局によってサポートされるカバレッジ拡張の程度を示している場合には、第１の情報によって示される基地局の能力は、基地局が第１のタイプのＵＥによるアクセスをサポートしており、かつ基地局がカバレッジ拡張をサポートしていること、または基地局が第１のタイプのＵＥによるアクセスをサポートしておらず、かつ基地局がカバレッジ拡張をサポートしていることである。
【０１１９】
第１の情報は、１つのビットを含み、その１つのビットの１つの状態は、基地局が第１のタイプのＵＥによるアクセスをサポートしておらず、かつ基地局がカバレッジ拡張をサポートしていないことを示すために使用され、その１つのビットの別の状態は、予約状態である。
【０１２０】
あるいは、そのビットの１つの状態は、基地局が第１のタイプのＵＥによるアクセスをサポートしておらず、かつ基地局がカバレッジ拡張をサポートしていないことを示すために使用され、その１つのビットの別の状態は、基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることを示すために使用される。
【０１２１】
あるいは、その１つのビットの１つの状態は、基地局が第１のＳＩＢを送信しないことを示すために使用され、その１つのビットの別の状態は、基地局が第１のＳＩＢを送信することを示すために使用される。
【０１２２】
あるいは、その１つのビットの１つの状態は、基地局によってサポートされるカバレッジ拡張の程度を示すために使用され、その１つのビットの別の状態は、予約状態である。
【０１２３】
第１の情報ブロックは、マスター情報ブロックＭＩＢであるか、またはＵＥが基地局にアクセスする際に受信される第１の情報ブロックである。
【０１２４】
第１の情報は、第１の情報ブロックまたは第２のＳＩＢにおける情報要素であり、その情報要素は、しきい値パラメータ、オフセットパラメータ、基地局によってサポートされるカバレッジ拡張のレベルの数量、またはそれぞれのカバレッジ拡張レベルに対応するカバレッジ拡張の量のうちの少なくとも１つであり、第２のＳＩＢは、ＳＩＢのうちの任意の１つである。
【０１２５】
第１のタイプのＵＥは、搬送波の特定の周波数幅で機能するＵＥであり、その特定の周波数幅は、搬送波の帯域幅未満である。
【０１２６】
本発明のこの実施形態において提供される基地局は、第１の情報ブロックをユーザ機器ＵＥへ送信するように構成されている送信モジュールを含み、第１の情報ブロックは、第１の情報を担持し、第１の情報は、基地局の能力を示すために使用され、基地局の能力は、基地局が第１のタイプのＵＥによるアクセスをサポートしておらず、かつ基地局がカバレッジ拡張をサポートしていないこと、または基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることである。
【０１２７】
前述の実施形態の記述に基づいて、本発明のこの実施形態において提供される基地局を用いて、送信モジュールが、第１の情報ブロックをＵＥへ送信し、第１の情報ブロックは、第１の情報を担持し、第１の情報は、基地局の能力を示すために使用されて、基地局が第１のタイプのＵＥまたはカバレッジ拡張の能力をサポートしているかどうかを示し、それによってＵＥは、ＵＥの要件が、基地局によってサポートされる能力に合っている場合にのみ基地局にアクセスして、第１のタイプのＵＥのパワー消費を低減する。
【０１２８】
実施形態４
本発明の実施形態は、ＵＥを提供する。図５において示されているように、図５は、このＵＥの概略構造図である。このＵＥは、
基地局によって送信された第１の情報ブロックを入手するように構成されている入手モジュール２０を含み、第１の情報ブロックは、第１の情報を担持し、第１の情報は、基地局の能力を示すために使用され、
基地局の能力は、基地局が第１のタイプのＵＥによるアクセスをサポートしておらず、かつ基地局がカバレッジ拡張をサポートしていないこと、もしくは基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることであり、または基地局の能力は、基地局が第１のシステム情報ブロックＳＩＢを送信しないこと、もしくは基地局が第１のＳＩＢを送信することであり、第１のＳＩＢは、第１のタイプのＵＥもしくはカバレッジ拡張をサポートしているＵＥのうちの少なくとも１つが受信する必要があるシステム情報を含み、このＵＥは、
入手モジュールによって入手された第１の情報ブロック内に担持される第１の情報に従って基地局の能力を決定するように構成されている決定モジュール２１を含む。
【０１２９】
第１の情報が、基地局が第１のＳＩＢを送信しないことを示すために使用されている場合には、第１の情報によって示される基地局の能力はさらに、基地局が第１のタイプのＵＥによるアクセスをサポートしておらず、かつ基地局がカバレッジ拡張をサポートしていないことであり、または第１の情報が、基地局が第１のＳＩＢを送信することを示すために使用されている場合には、第１の情報によって示される基地局の能力はさらに、基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることである。
【０１３０】
第１のＳＩＢは、１つのＳＩＢまたは２つのＳＩＢを含む。
【０１３１】
第１の情報が、基地局によってサポートされるカバレッジ拡張の程度を示している場合には、第１の情報によって示される基地局の能力は、基地局が第１のタイプのＵＥによるアクセスをサポートしており、かつ基地局がカバレッジ拡張をサポートしていること、または基地局が第１のタイプのＵＥによるアクセスをサポートしておらず、かつ基地局がカバレッジ拡張をサポートしていることである。
【０１３２】
第１の情報は、１つのビットを含み、その１つのビットの１つの状態は、基地局が第１のタイプのＵＥによるアクセスをサポートしておらず、かつ基地局がカバレッジ拡張をサポートしていないことを示すために使用され、その１つのビットの別の状態は、予約状態である。
【０１３３】
あるいは、そのビットの１つの状態は、基地局が第１のタイプのＵＥによるアクセスをサポートしておらず、かつ基地局がカバレッジ拡張をサポートしていないことを示すために使用され、その１つのビットの別の状態は、基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることを示すために使用される。
【０１３４】
あるいは、その１つのビットの１つの状態は、基地局が第１のＳＩＢを送信しないことを示すために使用され、その１つのビットの別の状態は、基地局が第１のＳＩＢを送信することを示すために使用される。
【０１３５】
あるいは、その１つのビットの１つの状態は、基地局によってサポートされるカバレッジ拡張の程度を示すために使用され、その１つのビットの別の状態は、予約状態である。
【０１３６】
第１の情報ブロックは、マスター情報ブロックＭＩＢであるか、またはＵＥが基地局にアクセスする際に受信される第１の情報ブロックである。
【０１３７】
第１の情報は、第１の情報ブロックまたは第２のＳＩＢにおける情報要素であり、その情報要素は、しきい値パラメータ、オフセットパラメータ、基地局によってサポートされるカバレッジ拡張のレベルの数量、またはそれぞれのカバレッジ拡張レベルに対応するカバレッジ拡張の量のうちの少なくとも１つであり、第２のＳＩＢは、ＳＩＢのうちの任意の１つである。
【０１３８】
図６において示されているように、このＵＥは、
このＵＥのアクセス要件を決定するようにさらに構成されている決定モジュール２１をさらに含む。
【０１３９】
このＵＥは、
基地局の能力がこのＵＥのアクセス要件に合っているかどうかを決定するように構成されている判定モジュール２２と、
基地局の能力がこのＵＥのアクセス要件に合っている場合にはこのＵＥが基地局にアクセスすることを可能にするか、または基地局の能力がこのＵＥのアクセス要件に合っていない場合にはこのＵＥが基地局にアクセスしないことを可能にするように構成されている実行モジュール２３とをさらに含む。
【０１４０】
このＵＥが第１のタイプのＵＥであり、かつこのＵＥがカバレッジ拡張をサポートしている場合には、チャネル品質パラメータがプリセットしきい値以下であるならば、このＵＥのアクセス要件は、基地局が第１のタイプのＵＥによるアクセスをサポートしており、かつ基地局がカバレッジ拡張をサポートしていることであり、またはチャネル品質パラメータがプリセットしきい値よりも大きいならば、このＵＥのアクセス要件は、基地局が第１のタイプのＵＥによるアクセスをサポートしていることである。
【０１４１】
このＵＥが第１のタイプのＵＥであり、かつこのＵＥがカバレッジ拡張をサポートしていない場合には、このＵＥのアクセス要件は、基地局が第１のタイプのＵＥによるアクセスをサポートしていることである。
【０１４２】
このＵＥが第１のタイプのＵＥではなく、かつこのＵＥがカバレッジ拡張をサポートしている場合には、チャネル品質パラメータがプリセットしきい値以下であるならば、このＵＥのアクセス要件は、基地局がカバレッジ拡張をサポートしていることである。
【０１４３】
第１のタイプのＵＥは、搬送波の特定の周波数幅で機能するＵＥであり、その特定の周波数幅は、搬送波の帯域幅未満である。
【０１４４】
本発明のこの実施形態において提供されるＵＥは、基地局によって送信された第１の情報ブロックを入手するように構成されている入手モジュールを含み、第１の情報ブロックは、第１の情報を担持し、第１の情報は、基地局の能力を示すために使用され、基地局の能力は、基地局が第１のタイプのＵＥによるアクセスをサポートしておらず、かつ基地局がカバレッジ拡張をサポートしていないこと、または基地局が第１のタイプのＵＥによるアクセスをサポートしており、かつ基地局がカバレッジ拡張をサポートしていること、または基地局が第１のタイプのＵＥによるアクセスをサポートしており、かつ基地局がカバレッジ拡張をサポートしていないこと、または基地局が第１のタイプのＵＥによるアクセスをサポートしておらず、かつ基地局がカバレッジ拡張をサポートしていることであり、このＵＥは、入手モジュールによって入手された第１の情報ブロック内に担持される第１の情報に従って基地局の能力を決定するように構成されている決定モジュールを含む。
【０１４５】
前述の実施形態の記述に基づいて、本発明のこの実施形態において提供されるＵＥを用いて、入手モジュールが、基地局によって送信された第１の情報ブロックを入手し、第１の情報ブロックは、第１の情報を担持し、第１の情報は、基地局の能力を示すために使用されて、基地局が第１のタイプのＵＥまたはカバレッジ拡張の能力をサポートしているかどうかを示し、それによってＵＥは、ＵＥの要件が、基地局によってサポートされる能力に合っている場合にのみ基地局にアクセスして、第１のタイプのＵＥのパワー消費を低減する。
【０１４６】
前述の記述は、本発明の特定の実施態様にすぎず、本発明の保護範囲を限定することを意図されているものではない。本発明において開示されている技術的な範囲内で当業者によって容易に考え出されるいかなる変形形態または代替形態も、本発明の保護範囲内に収まるものとする。したがって、本発明の保護範囲は、特許請求の範囲の保護範囲に従うものとする。
【図１】
2020078094.tif 000007
【図２】
2020078094.tif 000008
【図３】
2020078094.tif 000009
【図４】
2020078094.tif 000010
【図５】
2020078094.tif 000011
【図６】
2020078094.tif 000012
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
基地局によって、マスタ情報ブロックＭＩＢをユーザ機器ＵＥへ送信するステップであって、前記ＭＩＢは、第１の情報を担持し、前記第１の情報は、前記基地局が第１のシステム情報ブロックＳＩＢを送信しないことを示すために使用される、ステップを含む、
方法。
【請求項２】
前記第１のＳＩＢは、第１のタイプの前記ＵＥが受信することが必要なシステム情報を含み、前記第１のタイプの前記ＵＥは、搬送波の特定の周波数幅で機能するＵＥであり、前記特定の周波数幅は、前記搬送波の帯域幅未満である
請求項１に記載の方法。
【請求項３】
前記基地局は、第１のタイプの前記ＵＥによるアクセスをサポートせず、前記基地局は、カバレッジ拡張をサポートせず、前記第１のタイプの前記ＵＥは、搬送波の特定の周波数幅で機能するＵＥであり、前記特定の周波数幅は、前記搬送波の帯域幅未満である、
請求項１又は２に記載の方法。
【請求項４】
ユーザ機器ＵＥによって、基地局から送信されたマスタ情報ブロックＭＩＢを取得するステップであって、前記ＭＩＢは、第１の情報を担持し、前記第１の情報は、前記基地局が第１のシステム情報ブロックＳＩＢを送信しないことを示すために使用される、ステップを含む、
方法。
【請求項５】
前記第１のＳＩＢは、第１のタイプの前記ＵＥが受信することが必要なシステム情報を含み、前記第１のタイプの前記ＵＥは、搬送波の特定の周波数幅で機能するＵＥであり、前記特定の周波数幅は、前記搬送波の帯域幅未満である、
請求項４に記載の方法。
【請求項６】
前記方法は、前記ＵＥによって、前記ＭＩＢで担持される前記第１の情報に従って、前記基地局が、第１のタイプの前記ＵＥによるアクセスをサポートせず、前記基地局が、カバレッジ拡張をサポートしないことを決定するステップをさらに含み、前記第１のタイプの前記ＵＥは、搬送波の特定の周波数幅で機能するＵＥであり、前記特定の周波数幅は、前記搬送波の帯域幅未満である、
請求項４又は５に記載の方法。
【請求項７】
基地局であって、前記基地局は、
マスタ情報ブロックＭＩＢをユーザ機器ＵＥへ送信するように構成された送信モジュールを備え、前記ＭＩＢは、第１の情報を担持し、前記第１の情報は、前記基地局が第１のシステム情報ブロックＳＩＢを送信しないことを示すために使用される、
基地局。
【請求項８】
前記第１のＳＩＢは、第１のタイプの前記ＵＥが受信することが必要なシステム情報を含み、前記第１のタイプの前記ＵＥは、搬送波の特定の周波数幅で機能するＵＥであり、前記特定の周波数幅は、前記搬送波の帯域幅未満である
請求項７に記載の基地局。
【請求項９】
前記基地局は、第１のタイプの前記ＵＥによるアクセスをサポートせず、前記基地局は、カバレッジ拡張をサポートせず、前記第１のタイプの前記ＵＥは、搬送波の特定の周波数幅で機能するＵＥであり、前記特定の周波数幅は、前記搬送波の帯域幅未満である、
請求項７又は８に記載の基地局。
【請求項１０】
装置であって、前記装置は、
基地局から送信されたマスタ情報ブロックＭＩＢを取得するように構成された取得モジュールを備え、前記ＭＩＢは、第１の情報を担持し、前記第１の情報は、前記基地局が第１のシステム情報ブロックＳＩＢを送信しないことを示すために使用される、
装置。
【請求項１１】
前記第１のＳＩＢは、第１のタイプのＵＥが受信することが必要なシステム情報を含み、前記第１のタイプの前記ＵＥは、搬送波の特定の周波数幅で機能するＵＥであり、前記特定の周波数幅は、前記搬送波の帯域幅未満である
請求項１０に記載の装置。
【請求項１２】
前記装置は、前記取得モジュールによって取得された前記ＭＩＢで担持される前記第１の情報に従って、前記基地局が、第１のタイプのＵＥによるアクセスをサポートせず、前記基地局が、カバレッジ拡張をサポートしないことを決定するように構成された決定モジュールをさらに含み、前記第１のタイプの前記ＵＥは、搬送波の特定の周波数幅で機能するＵＥであり、前記特定の周波数幅は、前記搬送波の帯域幅未満である、
請求項１０又は１１に記載の装置。
【請求項１３】
コンピュータに、請求項１〜６のいずれか１項に記載の前記方法を実行させる、プログラム。
【請求項１４】
装置であって、少なくとも１つのプロセッサと、前記少なくとも１つのプロセッサによって実行されたときに、前記装置に請求項１〜３のいずれか１項に記載の前記方法を実行させるコンピュータ命令を格納しているメモリとを備える、装置。
【請求項１５】
装置であって、少なくとも１つのプロセッサと、前記少なくとも１つのプロセッサによって実行されたときに、前記装置に請求項４〜６のいずれか１項に記載の前記方法を実行させるコンピュータ命令を格納しているメモリとを備える、装置。
【手続補正２】
【補正対象書類名】明細書
【補正対象項目名】０００２
【補正方法】変更
【補正の内容】
【０００２】
既存の通信システムにおいては、ユーザ機器（ＵＥ）の数量が多いので、システム消費を低減するために、いくつかの複雑さの低いおよび低コストのＵＥが提唱されている。複雑さの低いおよび低コストのＵＥによって使用されるテクノロジーは主に、単一の受信アンテナ、ＵＥによってサポートされる最大送信ブロックのサイズを低減すること、半二重、ＵＥによってサポートされる受信信号および送信信号の帯域幅を低減すること、ＵＥの最大送信パワーを低減すること、ＵＥによってサポートされるダウンリンク送信モードを低減することなどである。
【手続補正３】
【補正対象書類名】明細書
【補正対象項目名】０００６
【補正方法】変更
【補正の内容】
【０００６】
第１の態様によれば、本発明の実施形態は、基地局能力を示すための方法を提供し、この方法は、基地局によって、第１の情報ブロックをユーザ機器ＵＥへ送信するステップであって、第１の情報ブロックは、第１の情報を担持し、第１の情報は、基地局の能力を示すために使用される、ステップを含み、
基地局の能力は、基地局が第１のタイプのＵＥによるアクセスをサポートしておらず、かつ基地局がカバレッジ拡張をサポートしていないこと、もしくは基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることであり、または
基地局の能力は、基地局が第１のシステム情報ブロック（ＳＩＢ）を送信しないこと、もしくは基地局が第１のＳＩＢを送信することであり、第１のＳＩＢは、第１のタイプのＵＥもしくはカバレッジ拡張をサポートしているＵＥのうちの少なくとも１つが受信する必要があるシステム情報を含む。
【手続補正４】
【補正対象書類名】明細書
【補正対象項目名】００１９
【補正方法】変更
【補正の内容】
【００１９】
第２の態様、または第２の態様の第１の可能な実施態様から第２の態様の第４の可能な実施態様のうちのいずれか１つに関連して、第２の態様の第５の可能な実施態様においては、第１の情報ブロックは、マスター情報ブロック（ＭＩＢ）であるか、またはＵＥが基地局にアクセスする際に受信される第１の情報ブロックである。
【手続補正５】
【補正対象書類名】明細書
【補正対象項目名】００２６
【補正方法】変更
【補正の内容】
【００２６】
第３の態様によれば、本発明の実施形態は、基地局を提供し、この基地局は、
第１の情報ブロックをユーザ機器ＵＥへ送信するように構成されている送信モジュールを含み、第１の情報ブロックは、第１の情報を担持し、第１の情報は、基地局の能力を示すために使用され、
基地局の能力は、基地局が第１のタイプのＵＥによるアクセスをサポートしておらず、かつ基地局がカバレッジ拡張をサポートしていないこと、もしくは基地局が第１のタイプのＵＥによるアクセスをサポートしており、かつ基地局がカバレッジ拡張をサポートしていること、もしくは基地局が第１のタイプのＵＥによるアクセスをサポートしており、かつ基地局がカバレッジ拡張をサポートしていないこと、もしくは基地局が第１のタイプのＵＥによるアクセスをサポートしておらず、かつ基地局がカバレッジ拡張をサポートしていることであり、または
基地局の能力は、基地局が第１のシステム情報ブロック（ＳＩＢ）を送信しないこと、もしくは基地局が第１のＳＩＢを送信することであり、第１のＳＩＢは、第１のタイプのＵＥもしくはカバレッジ拡張をサポートしているＵＥのうちの少なくとも１つが受信する必要があるシステム情報を含む。
【手続補正６】
【補正対象書類名】明細書
【補正対象項目名】００５３
【補正方法】変更
【補正の内容】
【００５３】
あるいは、基地局の能力は、基地局が第１のシステム情報ブロック（ＳＩＢ）を送信しないこと、または基地局が第１のＳＩＢを送信することであり、第１のＳＩＢは、第１のタイプのＵＥまたはカバレッジ拡張をサポートしているＵＥのうちの少なくとも１つが受信する必要があるシステム情報を含む。
【手続補正７】
【補正対象書類名】明細書
【補正対象項目名】００５４
【補正方法】変更
【補正の内容】
【００５４】
第１のタイプのＵＥは、搬送波の特定の周波数幅で機能するＵＥであり、その特定の周波数幅は、搬送波の帯域幅未満である。第１の情報ブロックは、マスター情報ブロック（ＭＩＢ）であるか、またはＵＥが基地局にアクセスする際に受信される第１の情報ブロックである。既存のＬＴＥシステムにおいては、ＵＥが基地局にアクセスする際に受信される第１の情報ブロックは、ＭＩＢである。
【外国語明細書】
2020078094000001.pdf